(57)【要約】【課題】構造が簡単でありながら容易に取り付けが可能で、端子結線部を塵埃の堆積から保護することができる端子保護カバーの取り付け構造を提供する。【解決手段】前面が露出した状態で盤面に取り付け可能で、後面の上辺に端子結線部５が形成され、左右両側面にスリット２ａが各々設けられたケース２と、ケース２の上面に対向して設けられて端子結線部５の側方を覆う連結部６ａと、スリット２ａが設けられたケース２の左右両側面に沿って連結部６ａの両端からそれぞれ延設される側方片６ｂ、６ｃとから形成される保護カバー６とを備え、スリット２ａに係止する係止爪７と、係止爪７がスリット２ａを係止した際にケース２の後面と当接するリブ８とが側方片６ｂ、６ｃに形成される。【選択図】図１
2009301844.tif 000002
【特許請求の範囲】
【請求項１】
前面が外部に露出した状態で盤面に埋め込み取り付け可能であり、後面の外周を形成する辺の内少なくとも一つの第一の辺に沿って端子結線部が形成され、第一の辺から連続して第一の側面が形成され、第一の辺の両端から各々延設される第二、第三の辺からそれぞれ連続して形成される第二、第三の側面にスリットが各々設けられたケースと、
第一の側面に対向して設けられて端子結線部の側方を覆う連結部と、連結部の両端から前記スリットが設けられた第二、第三の側面に沿ってそれぞれ延設される側方片とから形成される保護カバーとを備え、
前記保護カバーは、ケースのスリットに係止する係止爪と、係止爪がケースのスリットに係止した際にケースの後面と当接するリブとが側方片にそれぞれ形成されることを特徴とする端子保護カバーの取り付け構造。
【請求項２】
前記ケースは後面が矩形状に形成され、前記保護カバーの側方片はそれぞれ連結部の両端から略直角に延設されることを特徴とする請求項１記載の端子保護カバーの取り付け構造。
【請求項３】
前記保護カバーは、前記ケースのスリットに係止爪が係止した際に、第二及び第三の辺の中心よりも第一の辺側に側方片の先端が位置すること特徴とする請求項２記載の端子保護カバーの取り付け構造。
【請求項４】
前記保護カバーは、前記ケースのスリットに係止爪が係止した際に、保護カバーの連結部とケースの第一の側面との隙間を塞ぐ壁部が設けられることを特徴とする請求項１乃至３記載の端子保護カバーの取り付け構造。
【請求項５】
前記保護カバーは、前記ケースのスリットに係止爪が係止した際に、各側方片から内側へ向けて突設されてケースの第一の側面に当接する凸部が設けられることを特徴とする請求項１乃至３記載の端子保護カバーの取り付け構造。
【発明の詳細な説明】
【技術分野】
【０００１】
本発明は、端子保護カバーの取り付け構造に関するものである。
【背景技術】
【０００２】
従来より、盤面に埋め込み取り付け可能な電子機器の端子カバーとして、端子結線部の形成面に対向して設けられて、端子結線部を保護するものが提供されている（例えば、特許文献１参照）。
【特許文献１】特開２００１−１３３４８１号公報
【発明の開示】
【発明が解決しようとする課題】
【０００３】
上記のように、従来より用いられている盤面埋め込み取り付け可能な電子機器において、後面に設けられたねじ端子タイプの端子結線部を保護する端子カバーでは、上方から進入する塵埃などに対する端子結線部の保護が出来ておらず、塵埃などが端子結線部に堆積していた。そのため、当該堆積物が湿気を含んだ際に、強電を受ける端子結線部にあっては、トラッキング現象によって発火する恐れがあり、また信号線等の弱電を受ける端子結線部にあっては、絶縁抵抗の低下が発生して誤作動の原因となる場合があるという問題があった。
【０００４】
本発明は、上記事由に鑑みてなされたものであり、その目的は、構造が簡単でありながら容易に取り付けが可能で、端子結線部を塵埃の堆積から保護することができる端子保護カバーの取り付け構造を提供する。
【課題を解決するための手段】
【０００５】
請求項１の発明は、前面が外部に露出した状態で盤面に埋め込み取り付け可能であり、後面の外周を形成する辺の内少なくとも一つの第一の辺に沿って端子結線部が形成され、第一の辺から連続して第一の側面が形成され、第一の辺の両端から各々延設される第二、第三の辺からそれぞれ連続して形成される第二、第三の側面にスリットが各々設けられたケースと、第一の側面に対向して設けられて端子結線部の側方を覆う連結部と、連結部の両端から前記スリットが設けられた第二、第三の側面に沿ってそれぞれ延設される側方片とから形成される保護カバーとを備え、前記保護カバーは、ケースのスリットに係止する係止爪と、係止爪がケースのスリットに係止した際にケースの後面と当接するリブとが側方片にそれぞれ形成されることを特徴とする
この発明によれば、保護カバーに形成された係止爪をケースのスリットに係止するだけで保護カバーの取り付けが行え、また、ケースの後面に保護カバーのリブを当接させることで容易に正確な位置に保護カバーの取り付けが行え、端子結線部を塵埃の堆積から保護することができる。
【０００６】
請求項２の発明は、請求項１の発明において、前記ケースは後面が矩形状に形成され、前記保護カバーの側方片はそれぞれ連結部に対して略直角に延設されることを特徴とする。
【０００７】
この発明によれば、後面が矩形状のケースであっても容易に保護カバーの取り付けが行え、端子結線部を塵埃の堆積から保護することができる。
【０００８】
請求項３の発明は、請求項２の発明において、前記保護カバーは、前記ケースのスリットに係止爪が係止した際に、第二及び第三の辺の中心よりも第一の辺側に側方片の先端が位置すること特徴とする。
【０００９】
この発明によれば、後面の上下の辺、または左右の辺にそれぞれ端子結線部が設けられている際に、対向する両方の端子結線部に保護カバーを設けることができ、各端子結線部を塵埃の堆積から保護することができる。
【００１０】
請求項４の発明は、請求項１乃至３の発明において、前記保護カバーは、前記ケースのスリットに係止爪が係止した際に、保護カバーの連結部とケースの第一の側面との隙間を塞ぐ壁部が設けられることを特徴とする。
【００１１】
この発明によれば、保護カバーの連結部とケースとの隙間から端子結線部に侵入する指や異物等を壁部によって防止することができる。
【００１２】
請求項５の発明は、請求項１乃至４の発明において、前記保護カバーは、前記ケースのスリットに係止爪が係止した際に、各側方片から内側へ向けて突設されて連結部と対向するケースの側面に当接する凸部が設けられることを特徴とする。
【００１３】
この発明によれば、保護カバーをケースに組み付けた際に、保護カバーの組み付け方向への移動を規制して、容易に正確な位置へ組み付けを行うことができる。
【発明の効果】
【００１４】
以上説明したように、本発明では、構造が簡単でありながら容易に取り付けが可能で、端子結線部を塵埃の堆積から保護することができる端子保護カバーの取り付け構造を提供できるという効果がある。
【発明を実施するための最良の形態】
【００１５】
以下、本発明の実施の形態を図面に基づいて説明する。
【００１６】
（実施形態）
本発明の実施形態について図１〜４を用いて説明を行う。なお、図１（ａ）における上下左右を基準として上下左右方向と直交する方向を前後方向とする。
【００１７】
本実施形態における端子保護カバーの取り付け構造は、端子結線部５が後面の上下の辺に沿ってそれぞれ設けられたケース２を備えるタイマー、カウンタ等の電子機器１と、前記ケース２の左右両側面に設けられる複数の放熱用のスリット２ａに係止する係止爪７を有する保護カバー６とから構成されている。
【００１８】
まず、電子機器１は、前後方向に長い略矩形箱状のケース２と、ケース２内に配設されて電子機器１の制御を行う図示しない回路部と、ケース２の前面に突出して設けられて電子機器１の設定等を行うための操作部３と、電子機器１に入力された内容等を表示する表示部４とを備える。
【００１９】
ここで、前記ケース２の左右両側面の後方部分には、ケース２内の電子回路で発生する熱を放熱するために前後方向に長い略矩形状のスリット２ａが上下方向に複数並設され、後面には、仕切り部２ｂによって隔離絶縁されて図示しない電力線、及び信号線等が接続される端子結線部５が上下の辺に沿ってそれぞれ設けられている。
【００２０】
次に、保護カバー６は、前記ケース２の上面の左右方向の幅よりも更に左右に各々板厚分だけ長い長尺平板状の連結部６ａと、連結部６ａの両端から下方へ向けて連結部６ａに対して略直角となるようにそれぞれ延設された側方片６ｂ（左側）、６ｃ（右側）とから形成されている。ここで、側方片６ｂ、６ｃは、略矩形状に形成されて内側の下端前方には、下方から上方へ向かうに従って、突出長さが大きくなる係止爪７がそれぞれ形成されており、係止爪７は、傾斜部７ａと、連結部６ａに対して略平行に形成される係止面７ｂとを備える（図４参照）。加えて、側方片６ｂ、６ｃの内側には、それぞれ上下方向に長いリブ８が形成されており、また、側方片６ｂと側方片６ｃとを連結する略矩形状の壁部９が、連結部６ａの下面から突設されている。また、側方片６ｂ、６ｃの内側の前方略中央近傍には、突部１０がそれぞれ形成されている。
【００２１】
ここで、上記保護カバー６を上記ケース２に組み付ける際には、保護カバー６のリブ８をケース２の後面に当接させながら、保護カバー８を下方にスライドさせる。その際、係止爪７は傾斜部７ａを有していることから、ケース２の左右両側面に設けられた複数のスリット２ａを上から順に係止と係止解除を繰り返しながら下方へ移動する。また、係止爪７は、係止面７ｂを有していることから、スリット２ａに係止した後に上方への力が加わったとしても上方へは移動せず、外れない構造となっている。
【００２２】
そして、保護カバー６が更に下方へ移動し、保護カバー６に設けられた突部１０がケース２の上面に当接すると、保護カバー６がそれ以降下方へ移動しないよう規制される。
【００２３】
上記の方法により保護カバー６がケース２に組み付けられることで、ケース２の後面に形成された端子結線部５の上方が保護カバー６の連結部６ａによって覆われ、上方からの塵埃は、連結部６ａによって端子結線部５に達することを阻止され、端子結線部５に塵埃が堆積することを防止することができる。
【００２４】
また、本実施形態における端子保護カバーの取り付け構造では、ケース２の後面上方の端子結線部５を保護する為に保護カバー６をケース２の上方へ組み付けた際に、保護カバー６の側方片６ｂ、６ｃの先端が、ケース２の高さの中心よりも上方側に位置し、同様にして、ケース２の後面下方の端子結線部５を保護するために保護カバー６をケース２の下方へ組み付けた際には、側方片６ｂ、６ｃの先端がケース２の高さの中心よりも下方側に位置する。従って、ケース２の上下両側に保護カバー６を取り付けても、各保護カバー６同士が干渉せず、ケース２の後面上下両方の端子結線部５を保護カバー６によって保護することが出来、各端子結線部５に塵埃が堆積することを防止することができる。なお、本実施形態では端子結線部５がケース２後面の上下に設けられているが、ケース２後面の左右に端子結線部５が設けられていても同様の効果が得られる。
【００２５】
さらに、保護カバー６をケース２に組み付けた際に、保護カバー６に形成された壁部９の下端がケース２の上面に当接することで、保護カバー６とケース２の上面との隙間を塞ぎ、前方から端子結線部５へ侵入する指や異物等を遮断することができる。そして、ケース２の後面においては、端子結線部５に接続される図示しない電力線や信号線によって埃等が端子結線部５に近づくことが抑制され、さらに、保護カバー６の連結部６ａの後端より、上側の端子結線部５に接続される電力線、及び信号線等の引き出しの妨げにならない寸法で、矩形状の延設部６ｄが下方に向けて形成されており、より一層端子結線部５への埃等の堆積を防止している。
【００２６】
加えて、既存の電子機器においても、ケースに設けられた放熱用のスリットに本実施形態と同様の構成からなる保護カバーを取り付けることで同様の効果を得ることが出来、今後生産する電子機器等においては、同様のスリット２ａを設けることで保護カバー６を取り付けることができ、簡単に端子結線部５を塵埃などから保護することができる。
【００２７】
よって、本実施形態における端子保護カバーの取り付け構造では、構造が簡単でありながら容易に取り付けが可能で、端子結線部５を塵埃の堆積から保護することができる。
【００２８】
なお、本実施形態では電子機器１として、タイマー、カウンタ等を例に挙げたが、他の機能を有する電子機器であっても、同様の効果が得られる。
【図面の簡単な説明】
【００２９】
【図１】（ａ）、（ｂ）、（ｃ）、（ｄ）は、本発明の実施形態におけるケースの外形を示し、（ａ）は正面図を示し、（ｂ）は右側面図を示し、（ｃ）は後面図を示し、（ｄ）は上面図を示す。
【図２】（ａ）、（ｂ）、（ｃ）、（ｄ）、（ｅ）は同上における保護カバーの外形を示し、（ａ）は正面図を示し、（ｂ）は右側面図を示し、（ｃ）は後面図を示し、（ｄ）は上面図を示し、（ｅ）は底面図を示す。
【図３】同上における保護カバーの斜視図を示す。
【図４】同上におけるケースに保護カバーを組み付けた際の係止部の拡大図を示す。
【符号の説明】
【００３０】
２  ケース
２ａ  スリット
５  端子結線部
６  保護カバー
６ａ  連結部
６ｂ  側方片
６ｃ  側方片
７  係止爪
８  リブ
９  壁部
１０  突部
【図１】
2009301844.tif 000003
【図２】
2009301844.tif 000004
【図３】
2009301844.tif 000005
【図４】
2009301844.tif 000006